(57)【特許請求の範囲】
【請求項１】
遊底本体（２）をその中に有している尾筒（２０）を備えた二連式手動遊底型ライフル銃であって、
前記遊底本体（２）は、前方へ延出する一対のブリーチ遊底（３）がそこから延出する中心本体部分と、一対の撃鉄（８，９）を収容する前記遊底本体（２）の後方部分（４）とを有し、
前記後方部分（４）は、その中に形成されて前記撃鉄（８，９）が移動することのできる十字形通路を画定する交差状の鉛直状溝穴（６）および水平状溝穴（５）を有し、
前記撃鉄（８，９）のそれぞれは、前記鉛直状溝穴（６）の中に収容された鉛直状上下両部分（１２，１３）および前記水平状溝穴（５）の中に収容された水平状部分（１１）を有し、
前記撃鉄（８，９）の前記鉛直状上方部分（１２）および前記鉛直状下方部分（１３）は、互いに対向しているとともに、前記遊底本体（２）の前記後方部分（４）の前記鉛直状溝穴（６）の中に並列状に収容されており、
細長くて凹状の遊底ガイド（１９）が、前記尾筒（２０）に対して一線状に設けられ、前記遊底ガイド（１９）は、その中に形成されその長さに沿って伸びていて前記遊底本体（２）の中で前記撃鉄（８，９）の前記下方部分（１３）が摺動することのできる溝（２４）を有していることを特徴とする二連式手動遊底型ライフル銃。
【請求項２】
前記ブリーチ遊底（３）、それの前記中心本体部分およびそれの前記後方部分（４）は、互いに一体であることをさらに特徴とする請求項１に記載の二連式手動遊底型ライフル銃。
【請求項３】
前記撃鉄（８，９）と前記中心本体部分との間にガイド部材（２２）が設けられ、前記ガイド部材（２２）は、前記遊底本体（２）の下方で、前記遊底ガイド（１９）における溝（２４）に対して一線状に設けられた前記尾筒（２０）における溝（２３）の中へ延出している請求項１に記載の二連式手動遊底型ライフル銃。
【請求項４】
前記遊底本体（２）に、前記遊底ガイド（１９）における前記溝（２４）の中を摺動する突条（２１）を有する端部材（１６）が設けられている請求項１に記載の二連式手動遊底型ライフル銃。
【請求項５】
遊底本体をその中に有している尾筒を備えた二連式手動遊底型ライフル銃であって、
前記遊底本体が、
前方へ延出する一対のブリーチ遊底、
このブリーチ遊底が延出する中心本体部分、および
一対の撃鉄を収容する前記遊底本体の後方部分を備えてなり、
前記後方部分は、その中に形成されて前記撃鉄が移動することのできる十字形通路を画定する交差状の鉛直状溝穴および水平状溝穴を有し、前記撃鉄のそれぞれは、前記鉛直状溝穴の中に収容された鉛直状部分および前記水平状溝穴の中に収容された水平状部分を有し、
前記遊底本体が、前記撃鉄と前記中心本体部分との間に、前記撃鉄の最下限界の下方に延出するガイド部材をさらに備えている
二連式手動遊底型ライフル銃。
【発明の詳細な説明】
【技術分野】
【０００１】
この発明は火器の分野に関するものである。詳しくは、この発明は、手動遊底がある火器におけるある種の改良をもたらすものである。さらに詳しくは、この発明は、二連式手動遊底型連発火器におけるある種の改良をもたらすものである。この発明は、詳しくは、二連式連発ライフル銃の上方／下方へ適用することができる。
【背景技術】
【０００２】
二連式手動遊底型火器は、２００２年９月１２日に登録されたカナダ特許第２，０８０，７１２号に記載されている。この特許では、多くの重要な技術革新による二連式連発火器が示されている。これらの革新のうちカナダ特許第２，０８０，７１２号公報に含まれているのは、そこから延出している前方延出状の一対の平行なブリーチ遊底がある遊底本体を備えている遊底組立品である。この遊底本体はまた、上記ブリーチ遊底と同心である一対の撃針がある撃針組立品と、それぞれの撃針に対して一対の撃鉄が１つある撃鉄組立品とを収容している。この遊底本体には、この火器のそれぞれの銃身について１つ、そこから延出している一対のブリーチ遊底があるので、この遊底本体は、典型的な手動遊底がある火器の遊底に類似したように回転するはずがない。従って、この遊底本体には、その遊底本体の長手軸に関して固定されているものの、その遊底本体に関して回転可能であるカラーが設けられている。このカラーには、その外面に形成された突起あるいは割り込みねじのようなロック手段であって、この火器の尾筒の中に形成された相補型ロック手段と協働するロック手段がある。このカラーには把手が設けられているので、このカラーはロック解除位置まで回転することができ、また、遊底組立品は、空の薬莢を射出するために引き出され、さらに、新しい薬莢を発射室の中へ循環させるとともに、撃針を引き出してそれを起こすようにし始める。上記カナダ特許第２，０８０，７１２号公報に記載された二連式手動型遊底の遊底組立品が、一対の平行な遊底のために実質的に長方形であり、また、かなり重い、ということはわかるであろう。このため、それが引き出されるときには、遊底を安定した状態に維持するとともに尾筒と適切に一線状に配置する必要がある。  
【発明の概要】
【発明が解決しようとする課題】
【０００３】
上記カナダ特許第２，０８０，７１２号公報において、その特許出願人（本願の特許出願人でもある）は、第７ページから第８ページにわたる段落で、ブリーチ遊底と一体に構成された遊底本体が、その遊底本体へ取り付けられた別体のブリーチ遊底を有する遊底組立品よりも優れている、と記述した。これは可能であると記述されているが、それによって製造コストが増大するであろう。
【０００４】
この発明の改良の別の分野は、遊底本体と撃鉄とに関するものである。上記カナダ特許第２，０８０，７１２号公報において、遊底本体には、ブリーチ遊底が取り付けられた前方部材が含まれている。この前方部材から後方へ延出しているのは、互いに間隔を置いて配置された一対の本体部材であり、これらの本体部材の間には撃鉄が配置されている。これらの撃鉄は互いのそばを摺動し、また、それぞれが上記一対の本体部材の一方における蟻形溝の中に留められている。撃鉄と遊底本体との間におけるこの種の摺動継手は、製造費用が高く、また、それらの部材をごく少ない公差まで機械加工することが必要である。
【課題を解決するための手段】
【０００５】
この発明は、上記カナダ特許第２，０８０，７１２号公報に記載された火器の上記短所に対処するものである。具体的には、この発明によれば、遊底本体が引き出されるときにその後方移動を受け入れるとともに遊底本体と尾筒との一線状配置を維持するために溝穴付きであるのが好ましい尾筒の後部における外部遊底ガイド／受け台が提供される。そのようにすることで、ブリーチ遊底は、薬室と銃身内腔との一線状配置を維持している。
【０００６】
この発明によれば、好ましくはブリーチ遊底との一体部材として製造され、一対の撃鉄を収容する遊底本体もまた提供される。これら一対の撃鉄は、この遊底本体における水平状溝穴および鉛直状溝穴の中へ嵌まるとともにそれらの内部を摺動する十字形構造を形成するために、ともに並列状に装着されて、これらの撃鉄およびこの遊底本体における機械加工された蟻形継手についての必要性を排除する。さらにまた、これらの撃鉄はその行程よりも実質的に長いので、この火器におけるそれぞれの銃身の中の薬莢が排出されるときに、これらの撃鉄が動かなくなるおそれはない。
【０００７】
従って、広い観点では、この発明は、二連式手動遊底型ライフル銃のための遊底本体であって、前方へ延出する一対のブリーチ遊底、このブリーチ遊底が延出する中心本体部分、および一対の撃鉄を収容するこの遊底本体の後方部分を備えてなり、上記後方部分が、その中に形成されて上記撃鉄が移動することのできる十字形通路を画定する交差状の鉛直状溝穴および水平状溝穴を有し、上記撃鉄のそれぞれが、上記鉛直状溝穴の中に収容された鉛直状部分および上記水平状溝穴の中に収容された水平状部分を有している遊底本体に関するものである。
【図面の簡単な説明】
【０００８】
図面には、この発明が例示として示されている。
【図１】図１は、この発明の改良点を具体化するための二連式手動遊底型火器の遊底組立品および尾筒の分解斜視図である。
【図２】図２は、図１に示された遊底組立品および尾筒の組立図である。
【発明を実施するための形態】
【０００９】
さて、図１を参照すると、この発明の遊底組立品１は遊底本体２を備えてなるが、この遊底本体２は、前方延出状の一対の平行なブリーチ遊底３と一体に機械加工されているのが好ましい。遊底本体２の正面から後方へ延出しているのは遊底本体２の後方部分４である。後方部分４には、十字形の撃鉄組立品が摺動して入り込む交差状の水平状溝穴５および鉛直状溝穴６がある。
【００１０】
上記撃鉄組立品は、右側撃鉄８と左側撃鉄９とからなっており、これらの撃鉄のそれぞれには、そこから延出する撃針１０が備わっている。右側撃鉄８および左側撃鉄９のそれぞれには、遊底本体２の水平状溝穴５の中に摺動して入り込むことのできる水平状アーム１１が備わっている。右側撃鉄８および左側撃鉄９のそれぞれには、水平状アーム１１の上方および下方のそれぞれへ延出する上方部分１２および下方部分１３が備わっている。従って、これら２つの撃鉄８・９が並列状に配置されるときには、それぞれの撃鉄８・９の上方部分１２および下方部分１３は、この十字形の撃鉄組立品の上方アームおよび下方アームをそれぞれ画定する。これらの上方アームおよび下方アームは、遊底本体２の鉛直状溝穴６の中で移動する。
【００１１】
この遊底組立品１には、遊底組立品１を引き出して尾筒の中にロックするための把手１５が付いたカラー１４もまた備わっている。このカラー１４は、遊底本体２の後方溝孔付き部分を覆って装着されるとともに、遊底本体２へ固定される端部材１６によって定位置に置かれるのに役立つ。この端部材１６には、ほこりやごみが撃針１０を汚すのを避けるために、キャップ１７を設けてもよい。
【００１２】
これらの撃針１０は、ブリーチ遊底３を通って延びている内腔の中に収容されている。それぞれの撃針１０は、撃鉄８・９へ固定されているとともに、その撃鉄８・９の前方へ延出している。それぞれの撃針１０の近傍における撃鉄８・９と遊底本体２の正面部分との間には撃針ばねがある。
【００１３】
それぞれの撃鉄８・９の後方端部で、そこから側方外側へ延出し、それによって、遊底本体２における水平状溝穴５の外側へ延出しているのは、短いカム従動子である。このカム従動子は、カラー１４の後方端部におけるそれぞれの側面に形成されたカムに載ることになるので、カラー１４が回転すると、撃針１０は、上記カム従動子に対する上記カムの圧力によって、撃鉄起こし位置まで引き出される。遊底本体２が充分に引き出され、次いでロック位置へ向かって移動された後に、撃鉄８・９の上記下方端部は、引き金の掛け金１８をそれぞれ捕捉し、その結果、この火器（双筒銃）の撃鉄起こしがもたらされる。この引き金組立品は従来型のものである。
【００１４】
それぞれの引き金が引かれると、撃鉄８／９、従って、ただ１つの銃のための撃針１０が解放される、ということが観察されるであろう。この発明の改良によれば、撃鉄８・９は、これらが互いを通り過ぎて摺動するときに傾斜したり動かなくなったりするのを防止するために、充分に長い。
【００１５】
この発明には、外側遊底ガイド／受け台１９もまた設けられている。この外側遊底ガイド／受け台１９は、尾筒２０と一体であってもよく、あるいは、尾筒２０と一線状に配置される銃床へ取り付けるための別部材であってもよい。このガイド１９は、細長くて凹状のものであり、その全長に伸びている断面形状が方形の溝を備えている。ガイド１９はまた、この火器を撃鉄起こしするためと新しい薬莢を循環させるために遊底組立品１が引き出されると、端部材１６における、断面形状が方形である突条２１と撃鉄８・９の下方アーム１３とが上記溝の中で摺動するように、尾筒２０と一線状に配置されている。
【００１６】
さらにまた、撃鉄組立品７と遊底本体２の鉛直状溝穴６の中における遊底本体２の前方部分との間に、ガイド部材２２を設けることもできる。このガイド部材２２は、遊底本体２の下方で、尾筒２０における断面形状が方形の溝２３の中へ延出する。尾筒２０における溝２３はガイド１９における溝２４と一線状に配置されている。
【図１】
0005933187.tif 000002
【図２】
0005933187.tif 000003